(57)【要約】【課題】小型化および軽量化を図ることができる、画像読取装置を提供する。【解決手段】画像読取装置３は、第１支持板１０１および第２支持板１０２を備えている。第２支持板１０２は、撓み部１２５に設けられた突起１２４を備えている。コンタクトガラス６２が第１支持板１０１および第２支持板１０２に支持されるときには、突起１２４が後方に移動するように、撓み部１２５が変形され、コンタクトガラス６２の後端部を突起１２４の下面の下方に潜り込ませることができる。その後、変形した撓み部１２５が復元すると、突起１２４が上方からコンタクトガラス６２の後端部の上面に当接する。その結果、コンタクトガラス６２の前端部が差込口１０８に差し込まれ、その後端部の上方への移動が突起１２４の下面によって規制された状態で、コンタクトガラス６２が第１支持板１０１および第２支持板１０２に支持される。【選択図】図５
2014120849.tif 000002
【特許請求の範囲】
【請求項１】
原稿を搬送経路に沿って所定の搬送方向に搬送する搬送部と、
前記搬送部によって前記搬送経路を搬送される原稿の画像を読み取る読取部と、
前記読取部に対して前記搬送経路側に配置され、前記搬送方向と直交する幅方向に延びる原稿対向部材と、
前記原稿対向部材を支持する支持部材とを備え、
前記原稿対向部材は、前記搬送経路を前記搬送方向に搬送される原稿が接触する原稿接触面を有し、
前記支持部材は、前記幅方向に互いに間隔を空けて設けられた第１支持面および第２支持面を有し、
前記第１支持面は、前記原稿対向部材の前記幅方向の前記一端部が差し込まれる差込部を備え、
前記第２支持面は、撓み部と、前記撓み部から前記第１支持面側に突出し、前記原稿対向部材に前記搬送経路側から当接する突起と、前記突起が前記幅方向に変位するように前記撓み部を撓ませるためのスリットとを備える、画像読取装置。
【請求項２】
前記スリットは、前記原稿接触面と平行をなす前記搬送方向において、前記突起よりも長く延びている、請求項１に記載の画像読取装置。
【請求項３】
前記スリットは、前記原稿接触面と平行をなす前記搬送方向に延びる第１延部と、前記第１延部の長手方向と直交する方向に前記第１延部と間隔を空けて平行に延びる第２延部とを含む、請求項２に記載の画像読取装置。
【請求項４】
前記スリットは、前記幅方向と直交する方向に延びる第１延部と、前記第１延部の長手方向と直交する方向に前記第１延部と間隔を空けて平行に延びる第２延部と、前記第１延部および前記第２延部の各一端部に接続される第３延部とを含み、
前記撓み部は、前記第１延部、前記第２延部および前記第３延部に囲まれており、
前記突起は、前記撓み部の自由端側の端部に設けられている、請求項１に記載の画像読取装置。
【請求項５】
前記突起は、前記原稿対向部材に近づくほど前記第１支持面側に突出するように傾斜する傾斜面を有している、請求項１〜４のいずれか一項に記載の画像読取装置。
【請求項６】
前記スリットは、前記原稿接触面と平行をなす前記搬送方向において、前記原稿対向部材よりも短く形成されている、請求項１〜５のいずれか一項に記載の画像読取装置。
【請求項７】
前記支持部材は、前記原稿対向部材に前記搬送経路側と反対側から対向する対向面を有し、
前記対向面は、前記原稿対向部材に接触し、前記原稿対向部材を前記搬送経路側と反対側から支持する支持部と、前記原稿対向部材の前記第２支持面側の端部に対して離間する離間部とを有している、請求項１〜６のいずれか一項に記載の画像読取装置。
【請求項８】
前記差込部は、前記原稿対向部材に前記搬送経路側から当接する当接面を有し、
前記当接面および前記突起における前記原稿対向部材に当接する面は、同一の仮想平面上に配置されている、請求項１〜７のいずれか一項に記載の画像読取装置。
【請求項９】
前記搬送部は、前記支持部材に設けられ、原稿の搬送のための駆動力を伝達する駆動伝達部を備えており、
前記突起および前記駆動伝達部を一括して覆うカバーを備える、請求項１〜８のいずれか一項に記載の画像読取装置。
【請求項１０】
前記読取部は、前記支持部材に対して位置決めされている、請求項１〜９のいずれか一項に記載の画像読取装置。
【請求項１１】
前記搬送経路は、相対的に上側に位置する上経路および相対的に下側に位置する下経路を有するＵ字状に形成され、
前記読取部は、前記上経路および前記下経路の一方の下側に配置されて、前記上経路および前記下経路の一方を搬送される原稿の画像を読み取る第１の読取部であり、
前記上経路および前記下経路の他方の下側に配置されて、前記上経路および前記下経路の他方を搬送される原稿の画像を読み取る第２の読取部を備える、請求項１〜１０のいずれか一項に記載の画像読取装置。
【発明の詳細な説明】
【技術分野】
【０００１】
本発明は、画像読取装置に関する。
【背景技術】
【０００２】
特許文献１には、原稿が原稿搬送路を搬送される間に、その原稿の両面の画像を読み取ることができる画像読取装置が開示されている。
【０００３】
具体的に、特許文献１に開示された画像読取装置では、原稿保持トレイおよび原稿排出トレイが上下に設けられている。原稿搬送路は、原稿保持トレイと原稿排出トレイとの間に形成され、途中部が湾曲している。原稿搬送路を搬送される原稿は、湾曲した部分でその搬送方向が逆方向に折り返される。そして、原稿搬送路の湾曲した部分から原稿排出トレイに向けて延びる部分は、第１および第２の原稿読取部を順に経由している。第１の原稿読取部は、原稿搬送路の上側に配置されている。第２の原稿読取部は、原稿搬送路の下側に配置されている。原稿が原稿保持トレイから原稿搬送路を原稿排出トレイまで搬送される間に、原稿の一方の面の画像が第１の画像読取部に読み取られ、原稿の他方の面の画像が第２の画像読取部に読み取られる。
【先行技術文献】
【特許文献】
【０００４】
【特許文献１】特開２００６−３３３００３号公報
【発明の概要】
【発明が解決しようとする課題】
【０００５】
このような構成の画像読取装置は、画像読取部を２つ備えるので、サイズが大きくなりやすい。画像読取装置の小型化および軽量化のためには、画像読取部の周囲の構成に工夫が必要となる。
【０００６】
本発明の目的は、小型化および軽量化を図ることができる、画像読取装置を提供することである。
【課題を解決するための手段】
【０００７】
前記の目的を達成するため、本発明に係る画像読取装置は、原稿を搬送経路に沿って所定の搬送方向に搬送する搬送部と、前記搬送部によって前記搬送経路を搬送される原稿の画像を読み取る読取部と、前記読取部に対して前記搬送経路側に配置され、前記搬送方向と直交する幅方向に延びる原稿対向部材と、前記原稿対向部材を支持する支持部材とを備え、前記原稿対向部材は、前記搬送経路を前記搬送方向に搬送される原稿が接触する原稿接触面を有し、前記支持部材は、前記幅方向に互いに間隔を空けて設けられた第１支持面および第２支持面を有し、前記第１支持面は、前記原稿対向部材の前記幅方向の前記一端部が差し込まれる差込部を備え、前記第２支持面は、撓み部と、前記撓み部から前記第１支持面側に突出し、前記原稿対向部材に前記搬送経路側から当接する突起と、前記突起が前記幅方向に変位するように前記撓み部を撓ませるためのスリットとを備える。
【０００８】
この構成によれば、支持部材は、第１支持面および第２支持面を有している。第１支持面および第２支持面は、原稿の搬送方向と直交する方向に間隔を空けて設けられている。第１支持面は、差込部を備える。第２支持面は、撓み部、突起およびスリットを備える。突起は、撓み部から第１支持面側に突出している。撓み部は、スリットにより、突起が幅方向に変位するように撓むことができる。
【０００９】
原稿対向部材が支持部材に支持されるときには、まず、原稿対向部材の幅方向の一端部が差込部に差し込まれる。次に、突起が第１支持面から離れる方向に、撓み部が変形される。この変形により、突起が第１支持面から離れる方向に退避するので、原稿対向部材の幅方向の他端部を突起の搬送経路側と反対側に潜り込ませることができる。その後、変形した撓み部が復元すると、突起が搬送経路側から原稿対向部材の幅方向の他端部の縁部に当接する。その結果、原稿対向部材の幅方向の一端部が差込部に差し込まれ、その他端部の搬送経路側への移動が突起によって規制された状態で、原稿対向部材が支持部材に支持される。
【００１０】
このように、支持部材以外の部材を用いずに、原稿対向部材を支持部材に支持させることができる。また、支持部材の構成が簡素である。よって、画像読取装置の小型化および軽量化を図ることができる。
【００１１】
たとえば、支持部材と別部材である固定部材をさらに用いて、原稿対向部材を支持部材に取り付ける構造が考えられる。この構造では、第２支持面に、撓み部、突起およびスリットの代わりに原稿対向部材の幅方向の他端部が差し込まれる溝または開口が形成される。そして、原稿対向部材の幅方向の他端部が溝または開口に差し込まれた後、固定部材が原稿対向部材の原稿接触面と溝または開口の縁部との間に圧入される。これにより、原稿対向部材を固定部材を介して第２支持面に固定することができる。
【００１２】
しかしながら、固定部材の圧入の際に、固定部材が原稿接触面を摺擦し、原稿接触面が傷つくおそれがある。読取部による読み取り範囲に対向する原稿接触面に傷がつくと、読取部による画像の読み取りの品質が低下する。
【００１３】
突起が原稿対向部材の幅方向の他端部の縁部に当接する構成では、その当接する部分以外に傷がつくことを抑制できるので、原稿接触面の傷による画像の読取品質の低下を抑制できる。
【００１４】
スリットは、原稿接触面と平行をなす搬送方向において、突起よりも長く延びていることが好ましい。
【００１５】
これにより、突起を幅方向に良好に変位させることができる。
【００１６】
スリットは、原稿接触面と平行をなす搬送方向に延びる第１延部と、第１延部の長手方向と直交する方向に第１延部と間隔を空けて平行に延びる第２延部とを含んでいてもよい。
【００１７】
第１延部と第２延部との間を撓み部として、その撓み部を容易に撓ませることができる。
【００１８】
スリットは、幅方向と直交する方向に延びる第１延部と、第１延部の長手方向と直交する方向に第１延部と間隔を空けて平行に延びる第２延部と、第１延部および第２延部の各一端部に接続される第３延部とを含み、撓み部は、第１延部、第２延部および第３延部に囲まれており、突起は、撓み部の自由端側の端部に設けられていてもよい。
【００１９】
これにより、撓み部を容易に撓ませることができる。
【００２０】
突起は、原稿対向部材に近づくほど第１支持面側に突出するように傾斜する傾斜面を有していることが好ましい。
【００２１】
原稿対向部材が傾斜面に当接されて、原稿対向部材から傾斜面に読取部側への力が加えられると、その力が突起を第１支持面から離れる方向の力に変換される。その力により、突起が第１支持面から離れる方向に移動するように、撓み部を撓ませることができる。そのため、原稿対向部材を支持部材に楽に組み付けることができる。
【００２２】
スリットは、原稿接触面と平行をなす搬送方向において、原稿対向部材よりも短く形成されていることが好ましい。
【００２３】
これにより、原稿対向部材がスリットを通って抜け落ちることを抑制できる。
【００２４】
支持部材は、原稿対向部材に搬送経路側と反対側から対向する対向面を有し、対向面は、原稿対向部材に接触し、原稿対向部材を搬送経路側と反対側から支持する支持部と、原稿対向部材の第２支持面側の端部に対して離間する離間部とを有していてもよい。
【００２５】
この構成によれば、原稿対向部材の第２支持面側の端部と対向面の離間部との間に空間が生じるので、原稿対向部材の第２支持面側の端部を離間部側に押し下げることができる。これにより、原稿対向部材の第２支持面側の端部を突起の搬送経路側と反対側に容易に潜り込ませることができる。また、変形した撓み部が復元するときに、突起が原稿対向部材の第２支持面側の端面に引っ掛かることを抑制できる。
【００２６】
差込部は、原稿対向部材に搬送経路側から当接する当接面を有し、当接面および突起における原稿対向部材に当接する面は、同一の仮想平面上に配置されていることが好ましい。
【００２７】
これにより、原稿対向部材の幅方向の一端部および他端部をそれぞれ当接面および突起に良好に当接させることができる。そのため、支持部材による原稿対向部材の支持状態を安定させることができる。
【００２８】
搬送部は、支持部材に設けられ、原稿の搬送のための駆動力を伝達する駆動伝達部を備えていてもよく、突起および駆動伝達部を一括して覆うカバーを備えていてもよい。
【００２９】
カバーによって突起および駆動伝達部が覆われるため、使用者が突起および駆動伝達部に触れることを防止できる。使用者が突起に触れることを防止することで、原稿対抗部材が支持部材から外れることを防止できる。
【００３０】
読取部は、支持部材に対して位置決めされていることが好ましい。
【００３１】
原稿対向部材が支持部材に支持されているので、読取部が支持部材に対して位置決めされることにより、原稿対向部材と読取部との位置関係を一定に保つことができる。その結果、原稿の画像を良好に読み取ることができる。
【００３２】
搬送経路は、相対的に上側に位置する上経路および相対的に下側に位置する下経路を有するＵ字状に形成され、読取部は、上経路および下経路の一方の下側に配置されて、上経路および下経路の一方を搬送される原稿の画像を読み取る第１の読取部であり、上経路および下経路の他方の下側に配置されて、上経路および下経路の他方を搬送される原稿の画像を読み取る第２の読取部を備えていてもよい。
【００３３】
これにより、画像読取装置は、１回の原稿の搬送で、原稿の両面を読み取ることができる。
【発明の効果】
【００３４】
本発明によれば、支持部材以外の部材を用いずに、原稿対向部材を支持部材に支持させることができる。また、支持部材の構成が簡素である。よって、画像読取装置の小型化および軽量化を図ることができる。
【図面の簡単な説明】
【００３５】
【図１】本発明の第１の実施形態に係る画像読取装置３が備えられた複合機１の右前上側から見た斜視図である。
【図２】画像読取装置３の断面図である。
【図３】画像読取装置３のＡＤＦ筐体６の右前上側から見た斜視図であり、トレイ８がトレイ位置に位置し、メンテナンスカバー９がメンテナンス位置に位置する状態を示す。
【図４】ＡＤＦ筐体６の平面図であり、トレイ８がトレイ位置に位置し、メンテナンスカバー９がメンテナンス位置に位置する状態を示す。
【図５】図４に示される切断面線Ａ−ＡにおけるＡＤＦ筐体６の断面図である。
【図６】図４に示される切断面線Ｂ−ＢにおけるＡＤＦ筐体６の断面図である。
【図７】図６に示されるＡＤＦ筐体６のコンタクトガラス６２の近傍を示す断面図である。
【図８】図５に示されるＡＤＦ筐体６の突起１２４の近傍を示す断面図である。
【図９】ＡＤＦ筐体６の突起１２４の近傍を左前上側から見た斜視図である。
【図１０】図５に示されるＡＤＦ筐体６のコンタクトガラス６２の近傍を示す断面図である。
【図１１Ａ】画像読取装置３の突起１２４の近傍の断面図であり、コンタクトガラス６２の後端部が突起１２４の上方にある状態を示す。
【図１１Ｂ】画像読取装置３の突起１２４の近傍の断面図であり、コンタクトガラス６２の後端部が突起１２４の傾斜面１２８に当接した状態を示す。
【図１１Ｃ】画像読取装置３の突起１２４の近傍の断面図であり、コンタクトガラス６２の後端部が延出部１２７を摺動している状態を示す。
【図１１Ｄ】、画像読取装置３の突起１２４の近傍の断面図であり、コンタクトガラス６２の後端部が延出部１２７の下方に配置された状態を示す。
【図１２】本発明の第２の実施形態に係る内部フレーム３１の右前上側から見た斜視図を示す。
【図１３】図１２に示される内部フレーム３１の突起１２４の近傍の右前上側から見た斜視図である。
【図１４】図１０に示されるＡＤＦ筐体６の支持部１３３および離間部１３４の近傍を示す断面図である。
【発明を実施するための形態】
【００３６】
以下では、本発明の第１の実施形態について、添付図面を参照しつつ詳細に説明する。
【００３７】
＜外観構成＞
【００３８】
図１に示されるように、本実施形態の複合機１は、画像形成装置２および画像読取装置３を含む。
【００３９】
画像形成装置２は、シートを収容可能な供給カセット４を備える。なお、本実施形態の複合機１では、上下二段の供給カセットを備えている。画像形成装置２は、供給カセット４から搬送されてくるシートに微滴化したインクを直接に噴射して、シートに画像を形成する、インクジェット方式を採用したものであってもよい。また、画像形成装置２は、供給カセット４から搬送されてくるシートにトナー像を転写および定着して、シートに画像を形成する、電子写真方式を採用したものであってもよい。
【００４０】
画像読取装置３は、スキャナ筐体５、本体側カバーの一例としてのＡＤＦ筐体６、操作パネル７、トレイ８、開閉部材の一例としてのメンテナンスカバー９およびストッパ１０を備える。
【００４１】
なお、以下の説明では、スキャナ筐体５に対するＡＤＦ筐体６側を上側とし、平面視でスキャナ筐体５の中央に対する操作パネル７側を前側として、上下、左右および前後の各方向を規定する。そして、図１以降の各図では、矢印で方向を表示する。
【００４２】
スキャナ筐体５は、画像形成装置２の上側に配置されている。
【００４３】
ＡＤＦ筐体６は、前側板１１および後側板１２を備える。前側板１１および後側板１２は、互いに前後方向に間隔を空けて配置されている。前側板１１の約左半分の左側部分１５は、残りの右側部分１６よりも上下方向の寸法が大きい。そのため、左側部分１５の上端は、右側部分１６の上端よりも高い位置に位置している。また、後側板１２の約左半分の左側部分１７は、残りの右側部分１８よりも上下方向の寸法が大きい。そのため、左側部分１７の上端は、右側部分１８の上端よりも高い位置に位置している。また、前側板１１および後側板１２は、画像読取装置３がコンパクトに見えるように、それぞれ上側ほど前後方向の内側に位置するように傾斜している。
【００４４】
操作パネル７は、スキャナ筐体５の前面１９に配設されている。操作パネル７は、使用者により各種設定のために操作され、情報の入力を受け、入力された情報を複合機１全体を制御する制御部（図示せず）に伝送する。また、操作パネル７は、その設定された内容などの情報を表示する表示部を含む。
【００４５】
トレイ８は、前側板１１の左側部分１５と後側板１２の左側部分１７との間に架設されている。トレイ８は、図１に示されるカバー位置と図２に示されるトレイ位置との間で、左側部分１５，１７の各右上端部間で前後方向に延びる回動軸線２０まわりに回動可能に設けられている。トレイ８は、カバー位置において、左側部分１５，１７の各上端縁に沿って延び、メンテナンスカバー９を上側から覆う。トレイ８は、トレイ位置において、左側部分１５，１７の各右端部間から右上がりに傾斜状に延びる。
【００４６】
メンテナンスカバー９は、前側板１１の左側部分１５と後側板１２の左側部分１７との間に架設されている。メンテナンスカバー９は、図３に示される閉位置と図４に示される開位置との間で、左側部分１５，１７の各左下端部間で前後方向に延びる回動軸線２１まわりに回動可能に設けられている。メンテナンスカバー９は、閉位置において、左側部分１５，１７の左端縁に沿って延びる側部２２と、側部２２の上端から左側部分１５，１７の上端縁に沿って延びる上部２３とを備える。側部２２は、画像読取装置３がコンパクトに見えるように、それぞれ上側ほど前後方向の内側に位置するように傾斜している。メンテナンスカバー９が開位置に位置する状態で、上部２３が略鉛直方向に延びる。
【００４７】
ストッパ１０は、ＡＤＦ筐体６の上面２４に形成された凹部２５に配置されている。ストッパ１０は、収納位置と展開位置との間で、凹部２５の右端部で前後方向に延びる回動軸線まわりに回動可能に設けられている。ストッパ１０は、収納位置において、凹部２５内に収納される。ストッパ１０は、展開位置において、凹部２５の右端部から右上がりに延出する。
【００４８】
＜内部構成＞
【００４９】
ＡＤＦ筐体６は、図２に示されるように、内部フレーム３１および下フレーム３２を備える。下フレーム３２は、内部フレーム３１の下側に設けられている。
【００５０】
内部フレーム３１は、閉位置に位置するメンテナンスカバー９の上部２３の下側に設けられている。また、内部フレーム３１は、上側内部フレーム３１Ａと下側内部フレーム３１Ｂとを有している。上側内部フレーム３１Ａと下側内部フレーム３１Ｂとは、メンテナンスカバー９と下フレーム３２との間で、上下に重なるように配置されている。
【００５１】
メンテナンスカバー９の内面と上側内部フレーム３１Ａとの間には、間隔が空けられている。また、下側内部フレーム３１Ｂと下フレーム３２との間にも、間隔が空けられている。これにより、メンテナンスカバー９の内面と上側内部フレーム３１Ａとの間および下フレーム３２と下側内部フレーム３１Ｂとの間には、シートＳが搬送される搬送経路３３が形成されている。搬送経路３３は、相対的に上側に位置する上経路３４、相対的に下側に位置する下経路３５および上経路３４と下経路３５とを接続する湾曲経路３６を有している。上経路３４は、メンテナンスカバー９の内面と上側内部フレーム３１Ａとの間で左右方向に延びる空間である。下経路３５は、下側内部フレーム３１Ｂと下フレーム３２との間で左右方向に延びる空間である。湾曲経路３６は、後述する第２ＬＦローラ４９の周面に沿って湾曲した空間である。
【００５２】
画像読取装置３は、湾曲経路３３におけるシートＳの搬送方向に沿って、供給部４１、１対のシート幅ガイド４２、供給ローラ４３、分離ローラ４４、分離片４５、第１従動ローラ４６、第１ＬＦローラ４７、上読取部４８、第２ＬＦローラ４９、第２従動ローラ５０、第３従動ローラ５１、下読取部５２、１対の排出ローラ５３および排出部５４を備える。
【００５３】
なお、以下の説明において、とくに明記しない限りは、メンテナンスカバー９が閉位置に位置しているものとする。
【００５４】
供給部４１は、メンテナンスカバー９の右端部の下側に間隔を空けて設けられている。供給部４１は、右上がりに延びている。画像読取の対象であるシートＳは、供給部４１とトレイ位置に位置するトレイ８とに跨がって保持される。
【００５５】
１対のシート幅ガイド４２は、供給部４１に設けられている。１対のシート幅ガイド４２は、互いに前後方向に向かい合っている。１対のシート幅ガイド４２は、それらの間の中央を基準として、互いに同じ移動量で近接および離間可能に構成されている。１対のシート幅ガイド４２の間隔は、供給部４１の上面４１に保持されるシートＳの前後方向の幅に合わせて調節される。シートＳは、１対のシート幅ガイド４２の間に右側から差し込まれる。これにより、シートＳは、供給部４１上にセンタ基準で保持される。
【００５６】
供給ローラ４３は内部フレーム３１と後側板１２の左側部分１７の前側に配置される後述する駆動フレーム１４０との間に、前後方向に延びる回転軸線まわりに回転可能に保持されている。供給ローラ４３の周面は、上経路３４において、供給部４１の左端部に上側から当接している。
【００５７】
分離ローラ４４は、供給ローラ４３の左側に配置されている。分離ローラ４４は、内部フレーム３１と後側板１２の左側部分１７の前側に配置される後述する駆動フレーム１４０との間に、前後方向に延びる回転軸線まわりに回転可能に保持されている。
【００５８】
分離片４５は、分離ローラ４４の下側に配置されている。分離片４５は、内部フレーム３１に保持されている。分離片４５は、上経路３４において、分離ローラ４４の周面に下側から弾性的に当接している。
【００５９】
第１ＬＦローラ４７は、分離ローラ４４の左側に配置されている。第１ＬＦローラ４７は、内部フレーム３１と後側板１２の左側部分１７の前側に配置される後述する駆動フレーム１４０との間に、前後方向に延びる回転軸線まわりに回転可能に保持されている。
【００６０】
第１従動ローラ４６は、第１ＬＦローラ４７の下側に配置されている。第１従動ローラ４６は、内部フレーム３１に、前後方向に延びる回転軸線まわりに回転可能に保持されている。第１従動ローラ４６の周面は、上経路３４において、第１ＬＦローラ４７の周面に当接している。第１従動ローラ４６は、第１ＬＦローラ４７の回転に従動して回転する。
【００６１】
上読取部４８は、密着イメージセンサモジュール６１、コンタクトガラス６２および原稿押さえ部材６３を備える。
【００６２】
密着イメージセンサモジュール６１は、第１ＬＦローラ４７の左側に配置されている。密着イメージセンサモジュール６１は、内部フレーム３１に下側に凹んで形成された凹部５５に収容されている。密着イメージセンサモジュール６１は、凹部５５内で前後方向に延びている。密着イメージセンサモジュール６１の内部には、たとえば、ＬＥＤ光源、レンズおよびイメージセンサなどが設けられている。
【００６３】
コンタクトガラス６２は、凹部５５を閉塞するように、密着イメージセンサモジュール６１の上側に設けられている。コンタクトガラス６２の上面は、上経路３４に臨んでいる。
【００６４】
原稿押さえ部材６３は、コンタクトガラス６２の上側に配置されている。原稿押さえ部材６３は、メンテナンスカバー９に付勢部材を介して弾性的に支持されている。原稿押さえ部材６３は、上経路３４において、コンタクトガラス６２の上面に弾性的に当接している。
【００６５】
第２ＬＦローラ４９は、内部フレーム３１と後側板１２の左側部分１７の前側に配置される後述する駆動フレーム１４０との間に、前後方向に延びる回転軸線まわりに回転可能に保持されている。第２従動ローラ５０は、第２ＬＦローラ４９の上側に配置されている。第２従動ローラ５０は、メンテナンスカバー９に、前後方向に延びる回転軸線まわりに回転可能に保持されている。第２従動ローラ５０の周面は、湾曲経路３６において、第２ＬＦローラ４９の周面に当接している。第２従動ローラ５０は、第２ＬＦローラ４９の回転に従動して回転する。
【００６６】
第３従動ローラ５１は、第２ＬＦローラ４９の左下側に配置されている。第３従動ローラ５０は、下フレーム３２の左端部に、前後方向に延びる回転軸線まわりに回転可能に保持されている。第３従動ローラ５１の周面は、湾曲経路３６において、第２ＬＦローラ４９の周面に当接している。第３従動ローラ５１は、第２ＬＦローラ４９の回転に従動して回転する。
【００６７】
下読取部５２は、密着イメージセンサモジュール６４、コンタクトガラス６５および原稿押さえ部材６６を備える。
【００６８】
密着イメージセンサモジュール６４は、スキャナ筐体５に、左右方向に移動可能に設けられている。密着イメージセンサモジュール６４は、前後方向に延びている。密着イメージセンサモジュール６４の内部には、たとえば、ＬＥＤ光源、レンズおよびイメージセンサなどが設けられている。密着イメージセンサモジュール６４は、ＡＤＦ読取時および画像読取装置１の非使用時などにおいて、コンタクトガラス６５の左端部の下側に配置されている。
【００６９】
コンタクトガラス６５は、スキャナ筐体５の上面を覆うように設けられている。
【００７０】
原稿押さえ部材６６は、コンタクトガラス６５の左端部の上側に配置されている。原稿押さえ部材６６は、下側内部フレーム３１Ｂに付勢部材を介して弾性的に支持されている。原稿押さえ部材６６は、下経路３５において、コンタクトガラス６５の上面に弾性的に当接している。
【００７１】
１対の排出ローラ５３は、供給部４１の左端部の下側に配置されている。上側の排出ローラ５３は、内部フレーム３１と後側板１２の左側部分１７の前側に配置される後述する駆動フレーム１４０との間に、前後方向に延びる回転軸線まわりに回転可能に保持されている。下側の排出ローラ５３は、下フレーム３２に、前後方向に延びる回転軸線まわりに回転可能に保持されている。下側の排出ローラ５３の周面は、下経路３５において、上側の排出ローラ５３の周面に当接している。下側の排出ローラ５３は、上側の排出ローラ５３の回転に従動して回転する。
【００７２】
排出部５４は、供給部４１の下側に設けられている。排出部５４の右端部は、下経路３５の出口より低い位置に位置している。排出部５４は、右上がりに延びている。
【００７３】
＜画像読取動作＞
【００７４】
画像読取装置１におけるシートＳの画像の読み取りの際には、図２に示されるように、トレイ８がトレイ位置に開かれ、メンテナンスカバー９が閉位置に閉じられる。前述したように、シートＳは、供給部４１およびトレイ８上にセンタ基準で保持される。この状態におけるシートＳの上面を表面とし、シートＳの下面を裏面とする。
【００７５】
シートＳの先端部は、供給ローラ４３の周面下側に配置される。供給ローラ４３が前側から見て時計回りに回転されると、供給部４１上の最上のシートＳの上面と供給ローラ４３の周面との摩擦力などにより、そのシートＳが分離ローラ４４と分離片４５との間に送り込まれる。
【００７６】
分離ローラ４４は、前側から見て時計回りに回転されている。シートＳの先端部が分離ローラ４４と分離片４５との間に挟まれたときに、シートＳがたとえば１枚ずつに分離され、１枚のシートＳが分離ローラ４４と分離片４５との間を通過して、上経路３４を搬送される。
【００７７】
第１ＬＦローラ４７は、前側から見て時計回りに回転されている。第１従動ローラ４６は、第１ＬＦローラ４７の回転に伴って、前側から見て反時計回りに回転している。上経路３４を搬送されるシートＳの先端部が第１ＬＦローラ４７および第１従動ローラ４６の各周面の当接部分に到達すると、第１ＬＦローラ４７および第１従動ローラ４６からシートＳに搬送力が付与される。
【００７８】
そして、シートＳは、コンタクトガラス６２の上面と原稿押さえ部材６３との間を通過する。このとき、コンタクトガラス６２上のシートＳに、密着イメージセンサモジュール６１のＬＥＤ光源から光が照射される。そして、シートＳでの反射光が密着イメージセンサモジュール６１のイメージセンサに受けられることにより、シートＳの裏面に描かれている画像が読み取られる。
【００７９】
その後、シートＳの先端部は、第１ＬＦローラ４７および第１従動ローラ４６から付与される搬送力により、上経路３４から湾曲経路３６に送り込まれる。第２ＬＦローラ４９は、前側から見て反時計回りに回転される。第２従動ローラ５０および第３従動ローラ５１は、前側から見て時計回りに回転する。シートＳの先端部が第２ＬＦローラ４９および第２従動ローラ５０の各周面の当接部分に到達すると、第２ＬＦローラ４９および第２従動ローラ５０からシートＳに搬送力が付与される。その後、シートＳの先端部が第２ＬＦローラ４９および第３従動ローラ５１の各周面の当接部分に到達すると、第２ＬＦローラ４９および第３従動ローラ５１からシートＳに搬送力が付与され、湾曲経路３６から下経路３５に送り込まれる。なお、第２従動ローラ５０から第３従動ローラまでの間は第２ＬＦローラ４９と対向する側部２２の内壁面、及び下フレーム３２の内壁面が湾曲形状を成し、湾曲経路３６を形成することで、シートＳが下経路３５に向けて搬送される。
【００８０】
下経路３５に送り込まれたシートＳは、コンタクトガラス６５の左端部の上面と原稿押さえ部材６６との間を通過する。このとき、コンタクトガラス６５の左端部上のシートＳに、密着イメージセンサモジュール６４のＬＥＤ光源から光が照射される。そして、シートＳでの反射光が密着イメージセンサモジュール６４のイメージセンサに受けられることにより、シートＳの表面に描かれている画像が読み取られる。
【００８１】
上側の排出ローラ５３は、前側から見て反時計回りに回転される。下側の排出ローラ５３は、上側の排出ローラ５３の回転に伴って、前側から見て時計回りに回転している。シートＳの先端部が１対の排出ローラ５３の各周面の当接部分に到達すると、１対の排出ローラ５３からシートＳに搬送力が付与され、排出部５４に排出される。
【００８２】
＜支持部材＞
【００８３】
画像読取装置３は、図５に示されるように、コンタクトガラス６２を支持する支持部材の一例としての第１支持板１０１および第２支持板１０２を備える。第１支持板１０１および第２支持板１０２は、内部フレーム３１と一体的に形成されている。
【００８４】
第１支持板１０１は、前側板１１に対して後側に間隔を空けて設けられている。第１支持板１０１は、上部１０３、中央部１０４および下部１０５を備える。
【００８５】
上部１０３は、前側板１１の上端部に対して後側に間隔を空けた位置から下側に延びている。
【００８６】
中央部１０４は、上部１０３の下端から後方に延出している。
【００８７】
下部１０５は、中央部１０４の後端から下側に延びている。下部１０５には、差込部の一例としての差込口１０８が形成されている。言い換えれば、下部１０５の後面である第１支持面１１４は、差込口１０８を備える。差込口１０８は、下部１０５を前後方向に貫通し、左右方向に延びている。
【００８８】
前側板１１と第１支持板１０１の下部１０５との間には規制部１１１が設けられている。規制部１１１は、図５および図７に示されるように、本体部１１２および先端部１１３を備えている。本体部１１２は、第１支持板１０１の中央部１０４の下面から下側に延びている。本体部１１２の下端部は、上下方向において差込口１０８の中央に位置している。先端部１１３は、本体部１１２の下端部から後側に突出している。
【００８９】
コンタクトガラス６２の前端部は、差込口１０８に差し込まれている。規制部１１１の先端部１１３は、コンタクトガラス６２の前面に当接している。また、コンタクトガラス６２の前端部における上面は、差込口１０８の上側で左右方向に延びる当接面１１５に下側から当接している。
【００９０】
第２支持板１０２は、図５に示されるように、後側板１２に対して前側に間隔を空けて設けられている。第２支持板１０２の前面である第２支持面１２０は、下スリット１２３、上スリット１２２、撓み部１２５および突起１２４を備えている。
【００９１】
下スリット１２３は、第２延部の一例であり、図８に示されるように、コンタクトガラス６２の後面の後側の位置に、第２支持板１０２を貫通して形成されている。下スリット１２３は、左右方向に延びている。下スリット１２３の左右方向の長さは、コンタクトガラス６２の左右方向の長さよりも小さい。
【００９２】
上スリット１２２は、第１延部の一例であり、下スリット１２３の上側に間隔を空けた位置に、第２支持板１０２を貫通して形成されている。上スリット１２２は、下スリット１２３と平行をなして、左右方向に延びている。上スリット１２２の左右方向の長さは、下スリット１２３の左右方向の長さと同じである。
【００９３】
撓み部１２５は、上スリット１２２と下スリット１２３とに上下から挟まれる部分である。これにより、撓み部１２５は、第２支持板１０２における上スリット１２２および下スリット１２３の左右両側の部分で第２支持板１０２に接続され、第２支持板１０２における上スリット１２２および下スリット１２３の上下両側の部分で第２支持板１０２と分離している。そのため、撓み部１２５は、左右方向の中央部が前後方向に移動（揺動）するように撓み変形可能である。
【００９４】
突起１２４は、図８および図９に示されるように、撓み部１２５の左右方向の中央部から前側に突出している。突起１２４は、傾斜面１２６、延出面１２７および下面１２８を有する。
【００９５】
傾斜面１２６は、下側ほど前側に位置するように傾斜している。
【００９６】
延出面１２７は、傾斜面１２６の下端縁から下側に延びている。
【００９７】
下面１２８は、延出面１２７の下端縁から後側に延びている。下面１２８は、図５に示されるように、差込口１０８の上側の当接面１１５と同一の仮想平面Ｆ上に位置している。すなわち、下面１２８は、当接面１１５と同じ高さの位置に位置している。コンタクトガラス６２の後端部における上面は、下面１２８に下側から当接している。
【００９８】
また、図１０および図１４に示されるように、ＡＤＦ筐体６は、対向面１３１を有している。対向面１３１は、コンタクトガラス６２の左端部および右端部、すなわち各長辺の下側に形成されている。各対向面１３１は、前後方向に延びており、支持部１３３および離間部１３４を有している。
【００９９】
支持部１３３は、対向面１３１の前側半分以上の部分である。支持部１３３は、コンタクトガラス６２の下面に下側から当接している。
【０１００】
離間部１３４は、支持部１３３の後側の部分である。離間部１３４は、支持部１３３よりも下側に位置している。そのため、離間部１３４は、コンタクトガラス６２の下面から下側に離間しており、コンタクトガラス６２の下面と離間部１３４との間には、空間が生じている。
【０１０１】
＜カバー＞
【０１０２】
画像読取装置３は、図５および図１０に示されるように、駆動伝達部１４５を備える。駆動伝達部１４５は、ギヤ機構を含み、板金からなる駆動フレーム１４０に支持されている。駆動フレーム１４０は、後側板１２の左側部分１７の前側に配置されている。駆動伝達部１４５は、非図示のモータからの駆動力を供給ローラ４３、分離ローラ４４、第１ＬＦローラ４６、第２ＬＦローラ４９および上側の排出ローラ５３に伝達する。
【０１０３】
また、画像読取装置３は、図３、図４および図５に示されるように、カバー１４１を備える。カバー１４１は、突起１２４および駆動伝達部１４５を一括して覆う。
【０１０４】
具体的には、カバー１４１は、第１カバー部１４２、第２カバー部１４３および第３カバー部１４４を備える。
【０１０５】
第１カバー部１４２は、駆動伝達部１４５および駆動フレーム１４０の上方に配置されている。第１カバー部１４２は、前後方向に延びている。
【０１０６】
第２カバー部１４３は、第１カバー部１４２の前側において、前後方向に延びている。第２カバー部１４３は、第１カバー部１４２の前端縁から上側に延び、前側に屈曲して延び、さらに下側に屈曲して延びている。
【０１０７】
第３カバー部１４４は、第２カバー部１４３の前側に形成されている。第３カバー部１４４は、上壁部１４６、左側壁部１４７、右側壁部１４８および連結壁部１４９を一体的に有している。
【０１０８】
上壁部１４６は、第２カバー部１４３の前端部の下端縁から前側に延びている。上壁部１４６の左側部分１５１は、コンタクトガラス６２の後端部の上方に位置している。上壁部１４６の右側部分１５２は、左側部分１５１よりも前側に延びている。
【０１０９】
左側壁部１４７は、上壁部１４６の左側部分１５１の前端縁から下側に、コンタクトガラス６２の上面と間隔を空けた位置まで延びている。これにより、左側壁部１４７は、突起１２４に前側から間隔を空けて対向している。
【０１１０】
右側壁部１４８は、上壁部１４６の右側部分１５２の前端縁から下側に延びている。右側壁部１４８は、左側壁部１４７よりも上下方向の寸法が小さい。
【０１１１】
連結壁部１４９は、左側壁部１４７の右端縁と右側壁部１４８の左端縁とに接続され、それらの間で前後方向に延びている。
【０１１２】
＜コンタクトガラスの取り付け＞
【０１１３】
コンタクトガラス６２がＡＤＦ筐体６に取り付けられるときには、まず、コンタクトガラス６２の前端部が第１支持面１１４の差込口１０８に差し込まれる。コンタクトガラス６２の後端部は、図１１Ａに示されるように、突起１２４の上側に位置する。
【０１１４】
次に、コンタクトガラス６２の後端部が下側に移動される。この移動の途中で、図１１Ｂに示されるように、コンタクトガラス６２の後端部が突起１２４の傾斜面１２６に当接する。
【０１１５】
コンタクトガラス６２の後端部が突起１２４の傾斜面１２６に当接した後、コンタクトガラス６２の後端部が下側に押し下げられると、コンタクトガラス６２から傾斜面１２８に加えられる力が突起１２４を後側に移動させる力に変換される。その力により、図１１Ｃに示されるように、撓み部１２５が後方に撓み、突起１２４が後側に移動し、コンタクトガラス６２の後端部が傾斜面１２６上を摺動しつつ突起１２４の下側に移動する。
【０１１６】
コンタクトガラス６２の後端部が延出面１２７の下端縁よりも下側に位置するまで移動されて、コンタクトガラス６２の後端部が延出面１２７から離れると、撓み変形している撓み部１２５が前方に復元する。この復元により、図１１Ｄに示されるように、突起１２４の下面１２８は、コンタクトガラス６２の後端部の上面に配置される。
【０１１７】
ここで、コンタクトガラス６２の下面は、対向面１３１の支持部１３３に接触し、コンタクトガラス６２が支持部１３３に下側から支持されている。また、対向面１３１の離間部１３４が支持部１３３よりも下側に位置しているので、コンタクトガラス６２における離間部１３４と対向する後端部は、押し下げられることにより、コンタクトガラス６２の後端部の下面が対向面１３１の支持部１３３よりも下側に位置するように撓む。そのため、コンタクトガラス６２の後端部の上面は、突起１２４の下面１２８よりも下側に位置する。よって、撓み部１２５が復元するときに、突起１２４がコンタクトガラス６２に引っかかることが抑制される。
【０１１８】
その後、コンタクトガラス６２の後端部の押し下げが解除されると、密着イメージセンサモジュール６１の下側に設けられた弾性部材の弾性により、コンタクトガラス６２の後端部の上面が突起１２４の下面１２８に押し当てられる。また、コンタクトガラス６２の前端部の上面が差込口１０８の上側の当接面１１５に押し当てられる。これにより、コンタクトガラス６２が第１支持板１０１および第２支持板１０２に支持され、コンタクトガラス６２のＡＤＦ筐体６への取り付けが完了する。下面１２８と当接面１１５とは、同じ高さに位置していることで、コンタクトガラス６２を水平に支持することができる。
【０１１９】
＜作用効果＞
【０１２０】
この構成によれば、第１支持板１０１および第２支持板１０２は、第１支持面１１４および第２支持面１２０を有している。第１支持面１１４および第２支持面１２０は、前後方向に間隔を空けて設けられている。第１支持面１１４は、差込口１０８を備える。第２支持面１２０は、撓み部１２５、突起１２４、上スリット１２２および下スリット１２３を備える。突起１２４は、撓み部１２５から前側に突出している。撓み部１２５は、上スリット１２２および下スリット１２３により、突起１２４が前後方向に変位するように撓むことができる。
【０１２１】
コンタクトガラス６２が第１支持板１０１および第２支持板１０２に支持されるときには、まず、コンタクトガラス６２の前端部が差込口１０８に差し込まれる。次に、突起１２４が後方に移動するように、撓み部１２５が変形される。この変形により、突起１２４が後方に退避するので、コンタクトガラス６２の後端部を突起１２４の下面１２８の下方に潜り込ませることができる。その後、変形した撓み部１２５が復元すると、突起１２４が上方からコンタクトガラス６２の後端部の上面に当接する。その結果、コンタクトガラス６２の前端部が差込口１０８に差し込まれ、その後端部の上方への移動が突起１２４の下面１２８によって規制された状態で、コンタクトガラス６２が第１支持板１０１および第２支持板１０２に支持される。
【０１２２】
このように、第１支持板１０１および第２支持板１０２以外の部材を用いずに、コンタクトガラス６２を第１支持板１０１および第２支持板１０２に支持させることができる。また、第１支持板１０１および第２支持板１０２の構成が簡素である。よって、画像読取装置３の小型化および軽量化を図ることができる。
【０１２３】
上スリット１２２および下スリット１２３は、左右方向において、突起１２４よりも長く延びている。
【０１２４】
これにより、突起１２４を前後方向に良好に変位させることができる。
【０１２５】
スリットは、左右方向に延びる上スリット１２２と、上下方向に上スリット１２２と間隔を空けて平行に延びる下スリット１２３とを含んでいる。
【０１２６】
上スリット１２２と下スリット１２３との間を撓み部１２５として、その撓み部１２５を容易に撓ませることができる。
【０１２７】
突起１２４は、コンタクトガラス６２に近づくほど前方に突出するように傾斜する傾斜面１２６を有している。
【０１２８】
コンタクトガラス６２が傾斜面１２６に当接されて、コンタクトガラス６２から傾斜面１２６に下方への力が加えられると、その力が突起１２４を後方へ移動させる力に変換される。その力により、突起１２４が後方に移動するように、撓み部１２５を撓ませることができる。そのため、コンタクトガラス６２を第１支持板１０１および第２支持板１０２に楽に組み付けることができる。
【０１２９】
上スリット１２２および下スリット１２３は、左右方向において、コンタクトガラス６２よりも短く形成されている。
【０１３０】
これにより、コンタクトガラス６２が上スリット１２２および下スリット１２３を通って抜け落ちることを抑制できる。
【０１３１】
ＡＤＦ筐体６は、コンタクトガラス６２に下方から対向する対向面１３１を有し、対向面１３１は、コンタクトガラス６２に接触し、コンタクトガラス６２を下方から支持部１３３と、コンタクトガラス６２の後端部に対して離間する離間部１３４とを有している。
【０１３２】
これにより、コンタクトガラス６２の後端部は、下側に撓むことができる。その結果、コンタクトガラス６２の後端部を突起１２４の下面１２８の下方に潜り込ませることが容易になる。
【０１３３】
差込口１０８は、コンタクトガラス６２に上方から当接する当接面１１５を有し、当接面１１５および突起１２４におけるコンタクトガラス６２に当接する面は、同一の仮想平面上に配置されている。
【０１３４】
これにより、コンタクトガラス６２の前端部および後端部をそれぞれ当接面１１５および突起１２４の下面１２８に良好に当接させることができる。そのため、第１支持板１０１および第２支持板１０２によるコンタクトガラス６２の支持状態を安定させることができる。
【０１３５】
画像読取装置３は、駆動フレーム１４０に支持され、シートＳの搬送のための駆動力を伝達する駆動伝達部１４５を備えている。また、突起１２４および駆動伝達部１４５を一括して覆うカバー１４１を備えている。
【０１３６】
カバー１４１によって突起１２４および駆動伝達部１４５が覆われるため、使用者が突起１２４および駆動伝達部１４５に触れることを防止できる。使用者が突起１２４に触れることを防止することで、コンタクトガラス６２が第２支持板１０２から外れることを防止できる。
【０１３７】
上読取部４８は、第１支持板１０１および第２支持板１０２に対して位置決めされている。
【０１３８】
コンタクトガラス６２が第１支持板１０１および第２支持板１０２に支持されているので、読取部が第１支持板１０１および第２支持板１０２に対して位置決めされることにより、コンタクトガラス６２とコンタクトガラス６２との位置関係を一定に保つことができる。その結果、シートＳの画像を良好に読み取ることができる。
【０１３９】
搬送経路３３は、相対的に上側に位置する上経路３４および相対的に下側に位置する下経路３５を有するＵ字状に形成され、上読取部４９は、上経路３４の下側に配置されて、上経路３４を搬送されるシートＳの画像を読み取るように設けられ、画像読取装置３は、下経路３５の下側に配置されて、下経路３５を搬送されるシートＳの画像を読み取る下読取部５２を備える。
【０１４０】
これにより、画像読取装置３は、１回のシートＳの搬送で、シートＳの両面を読み取ることができる。
【０１４１】
＜第２実施形態＞
【０１４２】
前述の構成に代えて、図１２および図１３に示される構成が採用されてもよい。図１２および図１３において、前述した各部に相当する部分については、同一の参照符号が付されている。
【０１４３】
第２支持板１０２の前面である第２支持面１２０は、図１２および図１３に示されるように、第１スリット２０１、第２スリット２０２、第３スリット２０３、撓み部２０４および突起１２４を備える。
【０１４４】
第１スリット２０１および第２スリット２０２は、互いに左右方向に間隔を空けて、上下方向に延びている。
【０１４５】
第３スリット２０３は、第１スリット２０１および第２スリット２０２の各下端部に接続されている。
【０１４６】
撓み部２０４は、第１スリット２０１、第２スリット２０２および第３スリット２０３に囲まれる部分である。撓み部２０４は、下端部が前後方向に移動するように撓み変形可能である。
【０１４７】
突起１２４は、撓み部２０４の自由端となる下端部から前側に突出している。
【０１４８】
図１２および図１３に示される構成によっても、前述の構成と同様の作用効果を奏することができる。
【０１４９】
＜変形例＞
【０１５０】
以上、本発明のいくつかの実施形態について説明したが、本発明は、さらに他の形態で実施することもできる。
【０１５１】
たとえば、差込口１０８が第１支持板１０１を前後方向に貫通する構成を取り上げた。しかしながら、これに限らず、差込口１０８は、第１支持板１０１の後面に形成される凹部であってもよい。
【０１５２】
その他、前述の構成には、特許請求の範囲に記載された事項の範囲で種々の設計変更を施すことが可能である。
【符号の説明】
【０１５３】
３      画像読取装置
３３    搬送経路
３４    上経路
３５    下経路
４３    供給ローラ
４４    分離ローラ
４６    第１ＬＦローラ
４７    第１従動ローラ
４８    上読取部
４９    第２ＬＦローラ
５０    第２従動ローラ
５１    第３従動ローラ
５２    下読取部
５３    １対の排出ローラ
６２    コンタクトガラス
１０１  第１支持板
１０２  第２支持板
１０８  差込口
１１４  第１支持面
１１５  上内側面
１２０  第２支持面
１２２  上スリット
１２３  下スリット
１２４  突起
１２５  撓み部
１２８  傾斜面
１３１  対向面
１３３  支持部
１３４  離間部
１４１  カバー
１４５  駆動伝達部
２０１  第１スリット
２０２  第２スリット
２０３  第３スリット
２０４  撓み部
Ｓ      シート
【図１】
2014120849.tif 000003
【図２】
2014120849.tif 000004
【図３】
2014120849.tif 000005
【図４】
2014120849.tif 000006
【図５】
2014120849.tif 000007
【図６】
2014120849.tif 000008
【図７】
2014120849.tif 000009
【図８】
2014120849.tif 000010
【図９】
2014120849.tif 000011
【図１０】
2014120849.tif 000012
【図１１Ａ】
2014120849.tif 000013
【図１１Ｂ】
2014120849.tif 000014
【図１１Ｃ】
2014120849.tif 000015
【図１１Ｄ】
2014120849.tif 000016
【図１２】
2014120849.tif 000017
【図１３】
2014120849.tif 000018
【図１４】
2014120849.tif 000019